(57)【要約】【課題】  背景輝度低減型の電子放出装置を提供する。【解決手段】  電子放出パネルの放出電流値ＥＣを測定する放出電流測定部１１０と、放出電流値ＥＣと基準値Ｓｒｅｆとが入力され、放出電流値ＥＣと基準値Ｓｒｅｆとの差異に比例する制御信号ＣＳを出力する比較部１５０と、比較部１５０の制御信号ＣＳに応じて走査信号の出力電圧を増幅するための電源を印加する走査電圧調節部１７０と、増幅された出力電圧によりアノード電極２２との電位差が変化された走査信号を走査電極ラインに順次印加する走査駆動部１７と、を備える電子放出装置である。これにより、電子放出パネルにデータが印加されなかった時に微量の電子がアノード電極に衝突することに起因する背景輝度を低めることができる。【選択図】            図６
2006018218.tif 000002
【特許請求の範囲】
【請求項１】
走査電極と、データ電極と、前記走査電極とデータ電極との電圧差により放出された電子が衝突されるアノード電極とを含む電子放出パネルについて、所定の周期を有する走査駆動信号に応じて前記電子放出パネルの走査電極ラインに順次走査信号を出力する電子放出装置であって、
前記電子放出パネルの放出電流値を測定する放出電流測定部と、
前記放出電流値と基準値とが入力され、前記放出電流値と前記基準値との差異に比例する制御信号を出力する比較部と、
前記比較部の前記制御信号に応じて前記走査信号の出力電圧を増幅するための電源を印加する走査電圧調節部と、
前記増幅された出力電圧により前記アノード電極との電位差が変化された前記走査信号を前記走査電極ラインに順次印加する走査駆動部と、を備えることを特徴とする電子放出装置。
【請求項２】
前記放出電流測定部は、前記電子放出パネルのアノード電極に連結されて、前記アノード電極に流れる電流を感知することを特徴とする請求項１に記載の電子放出装置。
【請求項３】
前記放出電流測定部は、前記電子放出パネルの走査電極に連結されて、前記走査電極に流れる電流を感知することを特徴とする請求項１に記載の電子放出装置。
【請求項４】
前記比較部と前記走査電圧調節部との間には、所定の映像データの論理値が０である時にオンされるスイッチ部をさらに備えることを特徴とする請求項１に記載の電子放出装置。
【請求項５】
前記スイッチ部は、少なくとも１フレーム以上の映像データが０である時にオンされることを特徴とする請求項４に記載の電子放出装置。
【請求項６】
前記スイッチ部は、少なくとも６０フレーム以上の映像データが０である時にオンされることを特徴とする請求項４に記載の電子放出装置。
【請求項７】
前記走査電圧調節部は、前記比較部の制御信号に反比例して前記走査信号の出力電圧大きさを調節して、前記データ電極ラインに印加される電圧と前記走査信号の出力電圧との電圧差を減少させることを特徴とする請求項１に記載の電子放出装置。
【請求項８】
外光の照度を測定して照度信号を出力する照度感知部と、前記照度信号を増幅して前記基準値を生成する基準値調節部と、をさらに含み、
前記比較部が入力される前記基準値は、前記基準値調節部から入力されることを特徴とする請求項１に記載の電子放出装置。
【発明の詳細な説明】
【技術分野】
【０００１】
本発明は、走査信号の電圧を調節して背景輝度を制御する電子放出装置に係り、より詳しくは、電子放出パネルにデータが印加されなかった時に微量の電子がアノード電極に衝突することに起因する背景輝度を低めるため、放出電流に比例して走査信号の電圧とデータ電極ラインの電圧との電圧差を縮める電子放出装置に関する。
【背景技術】
【０００２】
通常の電子放出装置は、広く電子放出ディスプレイパネル及びその駆動装置から構成され、駆動装置が電子放出ディスプレイパネルのアノード電極に正極性電圧を印加した状態で、ゲート電極に正極性電圧、カソード電極に負極性電圧を印加すれば、ゲート電極とカソード電極との電位差によりカソード電極から電子が放出されてアノード電極に向かって加速され、アノード電極上にある蛍光セルに衝突して光が発散される。
【０００３】
電子放出パネルのゲート電極とカソード電極は、それぞれデータ電極ラインと走査電極ラインのうちいずれか一つに電気的に連結されている。走査電極ラインに走査信号が順次印加される過程で、データ電極ラインに輝度に比例する電圧を有したパルス幅又はパルスサイズが印加されれば、走査電極ラインに連結された電極（ゲート電極又はカソード電極）とデータ電極ラインに連結された電極（カソード電極又はゲート電極）との電位差によりカソード電極から電子が放出されてアノード電極に加速される。
【０００４】
電子放出パネルの背面パネル（下板）にデータ電極ライン及び走査電極ラインが配列され、前面パネル（上板）に高電圧のアノード電極及び蛍光セルが配列される。電子放出パネルは、需要者の要求に応じて日増しに薄型化されるように研究開発が成されている。
【０００５】
ところで、電子放出パネルのアノード電極は、１〜４キロボルト（ＫＶ）に至る高電圧なので、電子放出パネルの薄型化が進むほどゲート電極とカソード電極との電圧差が放出開始電圧（Ｖｔｈ）を超過しない場合にも電子が放出されて、アノード電極に向かって加速される現象が目立つ。この場合、電子放出パネルにデータ信号が印加されなくても、例えば少なくとも１フレーム又は６０フレーム以上のデータ信号が印加されない場合（すなわち、０のデータが印加される場合）にもカソード電極から電子が放出されてアノード電極上の蛍光セルに衝突するため、需要者の肉眼には完全な黒色画面ではない灰色画面が示されることがある。以下では、データが印加されない場合にもパネルで示される輝度を背景輝度と称する。
【０００６】
従って、データが印加されない状態での背景輝度が高いほど需要者の肉眼に感知されるコントラストは低下されるため、背景輝度を低めることができる方案が要求される。
【発明の開示】
【発明が解決しようとする課題】
【０００７】
本発明の技術的課題は、電子放出パネルにデータが印加されなかった時に微量の電子がアノード電極に衝突することに起因する背景輝度を低めることができる電子放出装置を提供するところにある。
【課題を解決するための手段】
【０００８】
前記技術的課題を達成するために、本発明による電子放出装置は、走査電極と、データ電極と、前記走査電極とデータ電極との電圧差により放出された電子が衝突されるアノード電極とを含む電子放出パネルについて、所定の周期を有する走査駆動信号に応じて前記電子放出パネルの走査電極ラインに順次走査信号を出力する電子放出装置であって、前記電子放出パネルの放出電流値を測定する放出電流測定部と、前記放出電流値と基準値とが入力され、前記放出電流値と前記基準値との差異に比例する制御信号を出力する比較部と、前記比較部の前記制御信号に応じて前記走査信号の出力電圧を増幅するための電源を印加する走査電圧調節部と、前記増幅された出力電圧により前記アノード電極との電位差が変化された前記走査信号を前記走査電極ラインに順次印加する走査駆動部と、を備えることを特徴とする。
【０００９】
そして、本発明による電子放出装置で、前記放出電流測定部は、前記電子放出パネルのアノード電極に連結されて、前記アノード電極に流れる電流を感知することができる。一方、本発明による電子放出装置で、前記放出電流測定部は、前記電子放出パネルの走査電極に連結されて、前記走査電極に流れる電流を感知することができる。
【００１０】
本発明による電子放出装置で、前記比較部と前記走査電圧調節部との間には、所定の映像データの論理値が０である時にオンされるスイッチ部をさらに備えることができる。この場合、前記スイッチ部は、少なくとも１フレーム以上の映像データが０である時にオンされることがある。他方、前記スイッチ部は、少なくとも６０フレーム以上の映像データが０である時にオンされることがある。
【００１１】
本発明による電子放出装置で、前記走査電圧調節部は、前記比較部の制御信号に反比例して前記走査信号の出力電圧大きさを調節して、前記データ電極ラインに印加される電圧と前記走査信号の出力電圧との電圧差を減少させることができる。
【００１２】
一方、本発明による電子放出装置は、外光の照度を測定して照度信号を出力する照度感知部と、前記照度信号を増幅して前記基準値を生成する基準値調節部をさらに含み、前記比較部が入力される前記基準値は、前記基準値調節部から入力されてもよい。
【発明の効果】
【００１３】
本発明による電子放出装置によれば、次の通りの効果がある。
【００１４】
第一に、データ電極ラインにデータが印加されないとき、すなわち、０のデータが持続的に印加される途中にも発生する電子放出パネルから発生する発光を除去することができる。
【００１５】
第二に、本発明による電子放出装置は、放出電流を測定し、放出電流に比例して走査電極の電圧とデータ電極の電圧との電圧差を縮めることによって、電子放出パネルにデータが印加されなかったときに微量の電子がアノード電極に衝突することに起因する背景輝度を低めることができる。
【００１６】
第三に、背景輝度が明るい場合には、表示データ信号が０ではない場合にも使用者の肉眼に影響を及ぼしてコントラスト及び視認性が劣化される。従って、本発明による電子放出装置によれば、表示データ信号が０である場合にはもとより、０ではない場合にもコントラスト及び視認性を向上させ、体感画質を改善できる。
【００１７】
一方、本発明を一番好適な実施の形態を基準に説明したが、前記実施の形態は、本発明の理解を助けるためのものであり、本発明の内容がそれに限定されるのではない。本発明の構成についての一部構成要素の付加、削減、変更、修正などがあっても特許請求の範囲により定義される本発明の技術的思想に属する限り、本発明の範囲に包含される。
【発明を実施するための最良の形態】
【００１８】
以下、添付した図面に基づき本発明に従う電子放出装置について好適な実施の形態を詳細に説明する。
【００１９】
図１は、本発明による電子放出装置の概略的なブロック図である。
【００２０】
電子放出装置は、電子放出ディスプレイパネル１０及びその駆動装置１５−１９を含む。電子放出ディスプレイパネル１０の駆動装置は、映像処理部１５と、パネル制御部１６と、走査駆動部１７と、データ駆動部１８と、電源供給部１９と、を含む。
【００２１】
映像処理部１５は、外部アナログ映像信号をディジタル信号に変換して内部映像信号、例えば赤色（Ｒ）、緑色（Ｇ）及び青色（Ｂ）映像データ、クロック信号、垂直及び水平同期信号を発生させる。
【００２２】
パネル制御部１６は、映像処理部１５からの内部映像信号に応じてデータ駆動制御信号ＳＤ及び走査駆動制御信号ＳＳより成る駆動制御信号ＳＤ，ＳＳを発生させる。データ駆動部１８は、パネル制御部１６からの駆動制御信号ＳＤ，ＳＳ中でデータ駆動制御信号ＳＤを処理して表示データ信号を発生させ、発生された表示データ信号を電子放出ディスプレイパネル１０のデータ電極ラインＣＲ１，．．．，ＣＢｍに印加する。走査駆動部１７は、パネル制御部１６からの駆動制御信号ＳＤ，ＳＳ中で走査駆動制御信号ＳＳを処理して走査電極ラインＧ１，．．．，Ｇｎに印加する。走査駆動部１７は、ロジックレベルの低電圧走査信号を走査電極ライン（ゲート電極又はカソード電極）での所要電圧に上昇させるため所定の電源Ｖｓｃａｎが入力される。
【００２３】
電源供給部１９は、映像処理部１５、パネル制御部１６、走査駆動部１７、データ駆動部１８、及び電子放出ディスプレイパネル１０のアノード電極に、所要する電源を印加する。
【００２４】
図２は、本発明の一実施の形態による電子放出装置中電子放出パネルの斜視図である。
【００２５】
図２を参照すれば、本発明の一実施の形態において、電子放出ディスプレイパネル１０は、前方パネル２と後方パネル３がスペースバー４１，．．．，４３により支持される。
【００２６】
後方パネル３は、後方基板３１と、カソード電極ラインＣＲ１，．．．，ＣＢｍと、電子放出源ＥＲ１１，．．．，ＥＢｎｍと、絶縁層３３と、ゲート電極ラインＧ１，．．．，Ｇｎと、を含む。
【００２７】
データ信号が印加されるカソード電極ラインＣＲ１，．．．，ＣＢｍは、電子放出源ＥＲ１１，．．．，ＥＢｎｍと電気的に連結される。第１の絶縁層３３、ゲート電極ラインＧ１，．．．，Ｇｎには、電子放出源ＥＲ１１，．．．，ＥＢｎｍに対応する貫通ＨＲ１１，．．．，ＨＢｎｍが形成される。従って、走査信号が印加されるゲート電極ラインＧ１，．．．，Ｇｎで、カソード電極ラインＣＲ１，．．．，ＣＢｍと交差される領域に貫通ＨＲ１１，．．．，ＨＢｎｍが形成される。
【００２８】
前方パネル２は、前方透明基板２１と、アノード電極２２と、蛍光セルＦＲ１１，．．．，ＦＢｎｍと、を含む。アノード電極２２には、電子放出源ＥＲ１１，．．．，ＥＢｎｍからの電子が蛍光セルに移動するように１乃至４キロボルト（ＫＶ）の高い正極性電位が印加される。
【００２９】
例えば、電子放出ディスプレイパネル１０のカソード電極にデータ電極ラインＣＲ１，．．．，ＣＢｍが接続されており、ゲート電極に走査電極ラインＧ１，．．．，Ｇｎが接続されている場合、アノード電極に正極性電圧を印加した状態で、走査電極ラインＧ１，．．．，Ｇｎを通じてゲート電極に正極性電圧を印加し、データ電極ラインＣＲ１，．．．，ＣＢｍを通じてカソード電極に負極性電圧を印加すれば、カソード電極から電子が放出されてゲート電極に向かって加速され、アノード電極に向かって収束し、アノード電極前にある蛍光セルに衝突して光を発散する。
【００３０】
図３は、本発明の一実施の形態による電子放出装置のうち電子放出パネルの斜視図である。
【００３１】
図３に示された電子放出パネルは、ゲート電極ラインＧがカソード電極ラインＣより下側に位置しているという点が図２のパネルと相違する。図３のパネルで後方パネル３は、後方基板３１と、カソード電極ラインＣと、電子放出源Ｅと、絶縁層３３と、ゲート電極ラインＧと、を含む。
【００３２】
データ信号が印加されるカソード電極ラインＣは、電子放出源Ｅと電気的に連結される。ゲート電極ラインＧ上には、絶縁層３３を突き抜き、電子放出源Ｅの側面まで延びる対向電極Ｔが形成される。
【００３３】
図３のようにゲート電極ラインＧがカソード電極ラインＣより下側に位置する構造を有する電子放出パネルでは、ゲート電極とカソード電極との電位差によりカソード電極から放出された電子がゲート電極に若干引っぱられた後、前方パネル２のアノード電極２２に向かって加速される。
【００３４】
前方パネル２は前方透明基板２１と、アノード電極２２と、蛍光セルＦＲ１１，．．．，ＦＢｎｍと、を含む。アノード電極２２には、電子放出源ＥＲ１１，．．．，ＥＢｎｍからの電子が蛍光セルに移動するように１乃至４キロボルト（ＫＶ）の高い正極性電位が印加される。
【００３５】
図４と図５は、電子放出パネル１０のデータ電極ラインと走査電極ラインとに印加される信号の波形図である。
【００３６】
図４の波形図は、一般に走査電極ラインがゲート電極に連結され、データ電極ラインがカソード電極に連結された図２の構造を有したパネルで用いられうるが、必ずしもそれに限定されるものではない。
【００３７】
図４のように、走査電極ラインに順次一定した幅の正極性走査信号が反復的に印加される時、一つのデータ電極ラインには、輝度により相違したパルス幅ＰＷを有した表示データ信号が印加される。表示データ信号は、放出開始電圧のサイズより大きい第１のデータ電圧ＶＤ１及び放出開始電圧Ｖｔｈのサイズより小さい第２のデータ電圧ＶＤ２より成り、走査電極ラインの電圧Ｖｓｃａｎと第１のデータ電圧ＶＤ１との電圧差Ｖｓｃａｎ＋ＶＤ１を維持するほどのパルス幅、すなわち第１のデータ電圧ＶＤ１のパルス幅により出力輝度が決定される。例えば、第一のデータ信号Ｄａｔａ［ｎ］と第二のデータ信号Ｄａｔａ［ｎ＋１］の階調が同一である場合には、その出力パルス幅は同一である（ＰＷ［ｎ］＝ＰＷ［ｎ＋１］）。そして、例えば、第三のデータ信号Ｄａｔａ［ｎ＋２］の階調が低い場合には、その出力パルス幅ＰＷ［ｎ＋２］は狭く、第四のデータ信号Ｄａｔａ［ｎ＋３］の階調が高い場合には、その出力パルス幅ＰＷ［ｎ＋３］は広い。
【００３８】
しかしながら、実際には電子放出パネル１０が薄型化されると共に前面パネル２と背面パネル３との間隔が次第に狭くなる趨勢により、データ信号が印加されない区間、すなわちデータ信号が０の区間である第２のデータ電圧ＶＤ２が維持される区間でも、アノード電極に印加される高電圧により微量の電子が放出されることによって背景輝度が明るくなり、コントラストが悪化される問題点がある。
【００３９】
従って、本発明では、データ信号が０の区間である第２のデータ電圧ＶＤ２が維持される区間で放出電流を測定して、それにより走査信号の電圧Ｖｓｃａｎのサイズを縮める。
【００４０】
図５は、走査信号とデータ信号の極性が変えられたことであって、信号印加に応じた電子放出パネルの動作は図４と同一である。図５の波長図は、一般に走査電極ラインがカソード電極に連結され、データ電極ラインがゲート電極に連結された図３の構造を有したパネルで用いられうるが、必ずしもそれに限定されるものではない。
【００４１】
図５のように、走査電極ラインに順次一定した幅の負極性走査信号が反復的に印加される時、一つのデータ電極ラインには、輝度により相違したパルス幅ＰＷを有した表示データ信号が印加される。表示データ信号は、放出開始電圧のサイズより大きい第１のデータ電圧ＶＤ１及び放出開始電圧Ｖｔｈのサイズより小さい第２のデータ電圧ＶＤ２より成り、走査電極ラインの電圧Ｖｓｃａｎと第１のデータ電圧ＶＤ１との電圧差Ｖｓｃａｎ＋ＶＤ１を維持するほどのパルス幅、すなわち第１のデータ電圧ＶＤ１のパルス幅により出力輝度が決定される。
【００４２】
しかしながら、実際には、電子放出パネル１０が薄型化されると共に前面パネル２と背面パネル３との間隔が次第に縮められる趨勢により、データ信号が印加されない区間、すなわちデータ信号が０である区間である第２のデータ電圧ＶＤ２が維持される区間でもアノード電極に印加される高電圧により微量の電子が放出されることによって、背景輝度が明るくなり、コントラストが悪化される問題点がある。
【００４３】
従って、本発明では、データ信号が０の区間である第２のデータ電圧ＶＤ２が維持される区間で電子放出パネルの放出電流を測定して、それにより走査信号の電圧Ｖｓｃａｎのサイズを低めようとする。
【００４４】
図６は、本発明の一実施の形態による電子放出装置のブロック図である。
【００４５】
本発明による電子放出装置は、走査電極と、データ電極と、前記走査電極とデータ電極との電圧差により放出された電子が衝突されるアノード電極とを含む電子放出パネルについて、所定の周期を有する走査駆動信号に応じて前記電子放出パネルの走査電極ラインに順次走査信号を出力する電子放出装置に関する。そして、本発明の基本概念は、データ電極ラインに印加されるデータが０である場合に、走査電極の電位をデータ電極の電位に近づけることによって、走査電極ライン上の電極から電子が引き出されないようにする電子放出装置を提供することである。
【００４６】
図６を参照すれば、本発明による電子放出装置は、電子放出パネルの放出電流を測定する放出電流測定部１１０と、放出電流値ＥＣと基準値Ｓｒｅｆが入力され、放出電流値ＥＣと基準値Ｓｒｅｆとの差異に比例する制御信号ＣＳを出力する比較部１５０と、比較部の制御信号ＣＳに応じて走査信号の出力電圧Ｖｓｃａｎを増幅するための電源を印加する走査電圧調節部１７０と、増幅された出力電圧Ｖｓｃａｎによりアノード電極との電位差が変化された走査信号を走査電極ラインに順次印加する走査駆動部１７と、を備える。
【００４７】
放出電流測定部１１０は、電子放出パネル１０のアノード電極２２に流れる電流を感知するために、アノード電極２２に連結される。一例として、放出電流測定部１１０は、アノード電極２２と電源供給部１９との間に直列に連結された電流計であり得る。
【００４８】
他方、放出電流測定部１１０は、走査電極に流れる電流を感知するために、走査電極ラインに連結される。一例として、放出電流測定部１１０は、走査電極ラインと電源供給部１９との間に直列に連結された電流計であり得る。図２のように、ゲート電極Ｇがカソード電極Ｃの上に位置する場合には、走査電極ラインには、ゲート電極Ｇが連結され、データ電極ラインには、カソード電極Ｃが連結されることが望ましいため、放出電流測定部１１０は、走査電極ライン上のゲート電極の放出電流を測定することができる。
【００４９】
放出電流測定部１１０は、アノード電極２２又は走査電極ラインの電流を測定して、その電流に比例する放出電流値ＥＣを出力する。放出電流値は、放出電流値に比例する電圧値であるか、又はディジタルデータであり得る。
【００５０】
比較部１５０は、放出電流値ＥＣと基準値Ｓｒｅｆとが入力されて、放出電流値ＥＣと基準値Ｓｒｅｆとの差異に比例する制御信号ＣＳを出力する。放出電流値ＥＣと基準値Ｓｒｅｆとはアナログ電圧又は電流値であるか、或いはディジタルデータの形態のうちいずれか一つを取ることができる。比較部１５０が差動増幅器である場合には、制御信号ＣＳは、放出電流値ＥＣと基準値Ｓｒｅｆとの電圧差に比例する電圧が出力される。
【００５１】
走査電圧調節部１７０は、比較部１５０の制御信号ＣＳに応じて走査信号の出力電圧Ｖｓｃａｎを増幅するための電源を走査駆動部のレベルシフター１７３に供給する。例えば、走査電圧調節部１７０は、比較部１５０の制御信号ＣＳに反比例して走査信号の出力電圧サイズを調節して、データ電極ラインの電圧ＶＤ２と走査信号の出力電圧Ｖｓｃａｎとの電圧差｜ＶＤ２｜＋｜Ｖｓｃａｎ｜を減少させ得る。この場合、例えば、アノード電極２２で流れる放出電流値ＥＣが基準値Ｓｒｅｆよりも高いほど制御信号ＣＳは大きくなり、走査信号の出力電圧Ｖｓｃａｎは、制御信号ＣＳに反比例するため出力電圧Ｖｓｃａｎが小さくなる。従って、データ電極ラインの電圧ＶＤ２と走査信号の出力電圧Ｖｓｃａｎとの電圧差｜ＶＤ２｜＋｜Ｖｓｃａｎ｜が減少されるため、背景輝度が低減される効果をもたらすことができる。
【００５２】
一方、図６のように、比較部１５０と走査電圧調節部１７０との間には、所定の映像データの論理値が０であるとき、オン（Ｏｎ）されるスイッチ部１６０をさらに備えることができる。この場合、スイッチ部１６０は、少なくとも１フレーム以上の映像データが０であるときオンされうる。あるいは、スイッチ部１６０は、少なくとも６０フレーム以上の映像データが０であるときオンされてもよい。スイッチ部１６０は、フレームメモリ１６５のデータを照会できる。例えば、スイッチ部１６０は、所定のアドレスを呼び出し、それについてのデータ値を引き出せる。データの状態によりオン／オフを決定するスイッチ部１６０を置くことは、所定のデータ値が０ではない時には、背景輝度を調節しなくても差し支えないためである。
【００５３】
一方、図７のように、本発明による電子放出装置は、外光の照度を測定して照度信号ＩＬＵを出力する照度感知部１２０と、照度信号ＩＬＵを増幅して基準値Ｓｒｅｆを生成する基準値調節部１２０をさらに含むことができる。
【００５４】
照度感知部１２０は、電子放出装置の周辺の明るさ、すなわち外光の照度を測定して照度の程度による照度信号ＩＬＵを出力する。照度感知部１２０は、光センサを含むことができる。基準値調節部１３０は、照度感知部１２０からの照度信号ＩＬＵを適正レベルに増幅させて基準値Ｓｒｅｆを比較部１５０の入力端に印加する。図７のように、照度感知部１２０が付加された電子放出装置は、例えば、周囲照度が暗くなる時（すなわち、室内で）には、パネルから出力される背景輝度を非常に低く設定しなければならないため、比較部１５０に印加される基準値Ｓｒｅｆを低くセッティングすることができる。逆に、周囲照度が暗くなる時（すなわち、明るい室外で）には、パネルから出力される背景輝度を低く設定する必要がないため、比較部１５０に印加される基準値Ｓｒｅｆを高くセッティングすることができる。
【００５５】
走査駆動部１７では、シフトレジスタで走査クロック（通常、水平同期信号とその周波数が一致する）に応じて走査信号が順次シフトされながら、１水平ラインずつ走査信号が出力される。走査駆動部１７のシフトレジスタ１７１は、一つのクロックを入力されるときまで走査信号をシフトさせる役割をする。
【００５６】
走査駆動部１７のレベルシフター１７３では、前記走査電圧調節部１７０から入力される所定の高電圧Ｖｓｃａｎに走査信号を上昇させた後、走査電極ライン（図２のゲート電極又は図３のカソード電極）について順次印加する。
【００５７】
以上図面と明細書で最適実施の形態が開示された。ここで、特定した用語が使用されたが、これは単に本発明を説明するための目的で使用されたものであり、意味限定や特許請求の範囲に記載された本発明の範囲を制限するために使用されたものではない。従って、当業者であれば、これより多様な変形及び均等な他実施の形態が可能であるという点を理解するであろう。従って、本発明の真の技術的保護範囲は、特許請求の範囲の技術的思想により決められるべきである。
【産業上の利用可能性】
【００５８】
本発明の背景輝度低減型の電子放出装置は、例えば電子放出ディスプレイに使用可能である。
【図面の簡単な説明】
【００５９】
【図１】本発明による電子放出装置の概略的なブロック図である。
【図２】本発明の一実施の形態による電子放出装置のうち電子放出パネルの斜視図である。
【図３】本発明の一実施の形態による電子放出装置のうち電子放出パネルの斜視図である。
【図４】電子放出パネルのデータ電極ラインと走査電極ラインとに印加される表示データ信号及び走査信号の波形図である。
【図５】電子放出パネルのデータ電極ラインと走査電極ラインとに印加される表示データ信号及び走査信号の波形図である。
【図６】本発明の一実施の形態による走査信号の電圧が調節される電子放出装置を示すブロック図である。
【図７】本発明の一実施の形態による走査信号の電圧が調節される電子放出装置を示すブロック図である。
【符号の説明】
【００６０】
２  前方パネル
３  後方パネル
１０  電子放出ディスプレイパネル
１５  映像処理部
１６  パネル制御部
１７  走査駆動部
１８  データ駆動部
１９  電源供給部
２１  前方基板
２２  アノード電極
３１  後方基板
１１０  放出電流測定部
１２０  照度感知部
１３０  基準値調節部
１５０  比較部
１６０  スイッチ部
１６５  フレームメモリ部
１７０  走査電圧調節部
１７１  シフトレジスタ
１７３  レベルシフター
ＣＲ１，．．．，ＣＢｍ  カソード電極ライン
ＥＣ  放出電流値
ＥＲ１１，．．．，ＥＢｎｍ  電子放出源
ＦＲ１１，．．．，ＦＢｎｍ  蛍光セル
Ｇ１，．．．，Ｇｎ  ゲート電極ライン
ＨＲ１１，．．．，ＨＢｎｍ  貫通口
Ｔ  対向電極
Ｓｒｅｆ  基準値
Ｓｓ  走査駆動信号
Ｖｓｃａｎ  走査信号の電圧
【図１】
2006018218.tif 000003
【図２】
2006018218.tif 000004
【図３】
2006018218.tif 000005
【図４】
2006018218.tif 000006
【図５】
2006018218.tif 000007
【図６】
2006018218.tif 000008
【図７】
2006018218.tif 000009